(57)【要約】【課題】  組立時の容易さを維持しつつ、搬送性がよくなるようにし、さらには、外力に対しても充分な強度を確保できるようにする。【解決手段】  長尺なシート状素材の両側端部が長手方向に沿って互いに内側に折り曲げられ、該折り曲げられた両側端部が当接するよう長手方向に沿ってさらに内側に折り曲げられて、内側壁部６及び外側壁部７が形成された側壁部材１と、該側壁部材１の幅方向に沿って形成された複数の折曲用溝９と、該折曲用溝９によって、折り曲げ可能に直列して連結される複数の側壁部１ａと、側壁部材１を角環状に組み立てた際に形成されるいずれか一方側の開口部に取り付けられる底部材１５とで構成する。【選択図】図１
2007284135.tif 000002
【特許請求の範囲】
【請求項１】
折り曲げ可能に直列して連結される複数の側壁部（１ａ）からなる側壁部材（１）と、
該各側壁部（１ａ）を角環状に組み立てる際に形成されるいずれか一方側の開口部に取り付けられる底部材（１５）とを備えた折箱用資材であって、
上記側壁部材（１）は、長尺なシート状素材の両側端部が長手方向に沿って互いに内側に折り曲げられ、該折り曲げられる両側端部が当接するよう長手方向に沿ってさらに内側に折り曲げられて形成される、内側壁部（６）と外側壁部（７）とで構成され、
上記各側壁部（１ａ）は、内側壁部（６）及び／又は外側壁部（７）に、その幅方向に沿って形成される複数の折曲用溝（９）によって構成されてなることを特徴とする折箱用資材。
【請求項２】
上記外側壁部（７）は、底部材（１５）が取り付けられる反対側の開口部において、内側壁部（６）よりも延出されるような幅寸法に形成され、該外側壁部（７）と内側壁部材（６）とで形成される段部（８）に載置される載置用蓋部材（１６）をさらに備えることを特徴とする請求項１に記載の折箱用資材。
【請求項３】
内側壁部（６）及び外側壁部（７）は、側壁部（１ａ）の幅方向に沿って互いに反対側に延出されるような幅寸法に形成されてなることを特徴とする請求項１に記載の折箱用資材。
【請求項４】
上記底部材（１５）は、その周縁部が内側壁部（６）又は外側壁部（７）の内面に長手方向に沿って形成される挿入用溝（１０）に嵌め込まれることにより取り付けられてなることを特徴とする請求項１乃至３のいずれか１項に記載の折箱用資材。
【請求項５】
折り曲げ可能に直列して連結される複数の側壁部（１ａ）からなる側壁部材（１）、及び該各側壁部（１ａ）を角環状に組み立てた際に形成される一方側の開口部に取り付けられる底部材（１５）で構成される箱本体（１７）を備えた折箱であって、
上記側壁部材（１）は、長尺なシート状素材の両側端部が長手方向に沿って互いに内側に折り曲げられ、該折り曲げられる両側端部が当接するよう長手方向に沿ってさらに内側に折り曲げられて形成される、内側壁部（６）と外側壁部（７）とで構成され、
上記各側壁部（１ａ）は、内側壁部（６）及び／又は外側壁部（７）に、その幅方向に沿って形成される複数の折曲用溝（９）によって構成され、
外側壁部（７）は、底部材（１５）が取り付けられる反対側の開口部において、内側壁部（６）よりも延出されるような幅寸法に形成され、
外側壁部（７）と内側壁部（６）とで形成される段部（８）に、平板状の載置用蓋部材（１６）が載置されて構成されることを特徴とする折箱。
【請求項６】
折り曲げ可能に直列して連結される複数の側壁部（１ａ）からなる側壁部材（１）、及び該各側壁部（１ａ）を角環状に組み立てた際に形成される一方側の開口部に取り付けられる底部材（１５）で構成される箱本体（１７）と、
折り曲げ可能に直列して連結される複数の側壁部（１ａ）からなる側壁部材（１）、及び該各側壁部（１ａ）を角環状に組み立てた際に形成される他方側の開口部に取り付けられる平板状の上板（１９）で構成される嵌合用蓋部材（１６ａ）とを備えた折箱であって、
上記各側壁部材（１）は、長尺なシート状素材の両側端部が長手方向に沿って互いに内側に折り曲げられ、該折り曲げられる両側端部が当接するよう長手方向に沿ってさらに内側に折り曲げられて形成される、内側壁部（６）と外側壁部（７）とで構成され、
上記各側壁部（１ａ）は、内側壁部（６）及び／又は外側壁部（７）に、その幅方向に沿って形成される複数の折曲用溝（９）によって構成され、
底部材（１５）又は上板（１９）が取り付けられる反対側の開口部において、外側壁部（７）又は内側壁部（６）のいずれか一方が、他方よりも延出されて段部（８）が形成され、
箱本体（１７）の段部（８）と嵌合用蓋部材（１６ａ）の段部（８）とが嵌合されて構成されることを特徴とする折箱。
【請求項７】
折り曲げ可能に直列して連結される複数の側壁部（１ａ）からなる側壁部材（１）、及び該各側壁部（１ａ）を角環状に組み立てた際に形成される一方側の開口部に取り付けられる底部材（１５）で構成される箱本体（１７）と、
折り曲げ可能に直列して連結される複数の側壁部（１ａ）からなる側壁部材（１）を角環状に組み立て構成される積重用側壁体（２０）とを備えた折箱であって、
上記各側壁部材（１）は、長尺なシート状素材の両側端部が長手方向に沿って互いに内側に折り曲げられ、該折り曲げられる両側端部が当接するよう長手方向に沿ってさらに内側に折り曲げられて形成される、内側壁部（６）と外側壁部（７）とで構成され、
上記各側壁部（１ａ）は、内側壁部（６）及び／又は外側壁部（７）に、その幅方向に沿って形成される複数の折曲用溝（９）によって構成され、
上記箱本体（１７）に積重用側壁体（２０）が積み重ねられるよう、箱本体（１７）の開口部、及び積重用側壁体（２０）の両側の開口部は、外側壁部（７）又は内側壁部（６）のいずれか一方が、他方よりも延出されて段部（８）が形成されてなることを特徴とする折箱。
【発明の詳細な説明】
【技術分野】
【０００１】
本発明は、折り曲げ可能に直列して連結された複数の側壁部からなる側壁部材を備えた折箱用資材及び折箱に関する。
【背景技術】
【０００２】
従来のこの種の折箱用資材は、例えば折り曲げ可能に直列して連結された複数の側壁部と、該各側壁部の下端に連設された底壁部と、適所に設けられた糊しろ部とを備えている。そして、展開された状態の折箱用資材の各糊しろ部を貼り合わせることによって、各側壁部及び底壁部より折箱が組み立てられるよう、また、組み立てた折箱を折り畳めるように構成されている。
【０００３】
さらに、他の従来例としては、折箱用資材を組み立てた折箱内部に、複数の空間を形成するための仕切り板を別途設けたものも公知になっている（例えば特許文献１参照）。
【０００４】
また、他の従来例として、折り曲げ可能に直列して連結された複数の側壁部からなる側壁部材を折り曲げて枠状の外箱を形成すると共に、平面視四角形状の底部と、該底部の周囲に立設される側壁部とで有底筒状の内箱を形成し、外箱に内箱を嵌装して重箱ユニットを組み立て、複数の重箱ユニットを積み重ねて、重箱を構成するものも公知になっている（例えば特許文献２参照）。
【特許文献１】特許第２７６０７６６号公報
【特許文献２】実開平７−１１５１８号公報
【発明の開示】
【発明が解決しようとする課題】
【０００５】
ところで、上記折箱用資材は、納品する際には、搬送効率をよくすることと、納品先での組立作業を容易にすることを考慮して、折り畳まれた状態の折箱を搬送しているのが一般的である。即ち、折り畳まれた状態の折箱を搬送するには、展開された状態の折箱用資材を糊付けする作業と、糊付け後に折り畳む作業とが必要になり、その分手間がかかるという問題がある。
【０００６】
また、折箱用資材が剛性を有する肉厚のものであれば、折り畳んでも嵩張る場合があり、搬送効率が低くなるという問題もある。
【０００７】
また、上記特許文献２の場合、重箱を組み立てるに際し、外箱と内箱をそれぞれ組み立てた後、外箱に内箱を嵌装して重箱ユニットを構成する必要があるので、作業が繁雑で、その分時間が掛かるという問題がある。
【０００８】
しかも、枠状に組み立てられる外箱の各側壁は、複数の側片を折り曲げて角筒状に形成されているので、外力の影響を受けやすい箇所でありながら、強度が劣るという問題がある。
【０００９】
そこで、本発明は、上記問題点を鑑み、組立時の容易さを維持しつつ、搬送性がよくなるようし、さらには、外力に対しても充分な強度を確保できる折箱用資材及び折箱を提供することを課題とする。
【課題を解決するための手段】
【００１０】
本発明に係る折箱用資材は、折り曲げ可能に直列して連結される複数の側壁部１ａからなる側壁部材１と、該各側壁部１ａを角環状に組み立てる際に形成されるいずれか一方側の開口部に取り付けられる底部材１５とを備えた折箱用資材であって、上記側壁部材１は、長尺なシート状素材の両側端部が長手方向に沿って互いに内側に折り曲げられ、該折り曲げられる両側端部が当接するよう長手方向に沿ってさらに内側に折り曲げられて形成される、内側壁部６と外側壁部７とで構成され、上記各側壁部１ａは、内側壁部６及び／又は外側壁部７に、その幅方向に沿って形成される複数の折曲用溝９によって構成されてなることを特徴とする。
【００１１】
この場合、折り曲げ可能な側壁部１ａが直列して連結されているため、各側壁部１ａを折り曲げるだけで、両端の側壁部１ａが突き合わせられ、折箱１８の側壁部１ａを角環状に容易に組み立てられる。しかも、角環状の一方側の開口部を底部材１０で閉塞すれば、簡単に折箱を組み立てられる。
【００１２】
さらに、搬送する際は、側壁部材１と底部材１０とが別体であるので、展開した状態の側壁部材１と、底部材１０とを個別に搬送でき、一度に多くの折箱用資材を搬送できる一方、従来のように搬送前の予備工程（糊付け作業と、その後の折り畳み作業）が不要になる。
【００１３】
また、内側壁部６と外側壁部７を有する側壁部材１を作製する際、長尺なシート状素材の両側端部を長手方向に沿って互いに内側に折り曲げた後、折り曲げられた両側端部が当接するよう長手方向に沿って内側に折り曲げているので、所望する大きさに切断された長尺なシート状素材の切断面（シート状素材の両側端面）が、内部に隠れることになる。
【００１４】
即ち、側壁部材１の上端部が、内側壁部６の折曲部と外側壁部７の折曲部とからなり、下端部が内側壁部６及び外側壁部７の折曲部からなり、作製された側壁部材１を外観視した場合切断面が見えることがなく、折箱１８を形成した際の外観も良好になる。
【００１５】
さらに、折箱１８の側壁部１ａが、内側壁部６と外側壁部７とが重なり合って（面接合）、二重構造になるので、充分な強度を確保できる。
【００１６】
上記外側壁部７を、底部材１５が取り付けられる反対側の開口部において、内側壁部６よりも延出されるような幅寸法に形成し、該外側壁部７と内側壁部材６とで形成される段部８に載置される載置用蓋部材１６をさらに備えるような構成を採用することもできる。
【００１７】
この場合、外側壁部５と内側壁部１とで形成される段部に蓋部材１６を載置するだけでよく、蓋付きの折箱を簡単に組み立てられる。
【００１８】
また本発明によれば、内側壁部６及び外側壁部７を、側壁部１ａの幅方向に沿って互いに反対側に延出される幅寸法に形成されるような構成を採用することもできる。
【００１９】
この場合、内側壁部６と外側壁部７とで形成される段部８を利用して、角環状に組み立てられた折箱用資材を積み重ねることができ、重箱としての折箱を容易に作製できるし、収容物の高さに対応した高さ調整可能な折箱を容易に作製できる。
【００２０】
また本発明によれば、上記底部材１５の周縁部を、内側壁部６又は外側壁部７の内面に長手方向に沿って形成される挿入用溝１０に嵌め込むことにより取り付けるような構成を採用することもできる。
【００２１】
この場合、底部材１５の周縁部を、内側壁部６又は外側壁部７の内面に形成された挿入用溝１０に挿入した状態で、各側壁部１ａを折り曲げれば、簡単に有底筒状の折箱を組み立てられる。
【００２２】
しかも、底部材１５の周縁部が内側壁部材６又は外側壁部材７の挿入用溝１０によって挿入支持されるので、底部材１５の支持強度も確保できる。なお、外側壁部７に挿入用溝１０を形成する場合は、内側壁部６よりも延出された部位に形成する。
【００２３】
また、折曲用溝９は、内側壁部６に形成される場合と外側壁部７に形成される場合とで、内側壁部６と外側壁部７で形成される段部８の位置が異なることになる。これを利用して、重箱を組み立てるようにしてもよい。
【００２４】
また、本発明の折り箱は、折り曲げ可能に直列して連結される複数の側壁部１ａからなる側壁部材１、及び該各側壁部１ａを角環状に組み立てた際に形成される一方側の開口部に取り付けられる底部材１５で構成される箱本体１７を備えた折箱であって、上記側壁部材１は、長尺なシート状素材の両側端部が長手方向に沿って互いに内側に折り曲げられ、該折り曲げられる両側端部が当接するよう長手方向に沿ってさらに内側に折り曲げられて形成される、内側壁部６と外側壁部７とで構成され、上記各側壁部１ａは、内側壁部６及び／又は外側壁部７に、その幅方向に沿って形成される複数の折曲用溝９によって構成され、外側壁部７は、底部材１５が取り付けられる反対側の開口部において、内側壁部６よりも延出されるような幅寸法に形成され、外側壁部７と内側壁部６とで段部８に、平板状の載置用蓋部材１６が載置されて構成されることを特徴とする。
【００２５】
この場合、載置用蓋部材１６を箱本体１７に載置するだけで、例えば弁当箱に適した折箱を簡単に組み立てることができる。
【００２６】
また、本発明の折箱は、折り曲げ可能に直列して連結される複数の側壁部１ａからなる側壁部材１、及び該各側壁部１ａを角環状に組み立てた際に形成される一方側の開口部に取り付けられる底部材１５で構成される箱本体１７と、折り曲げ可能に直列して連結される複数の側壁部１ａからなる側壁部材１、及び該各側壁部１ａを角環状に組み立てた際に形成される他方側の開口部に取り付けられる平板状の上板１９で構成される嵌合用蓋部材１６ａとを備えた折箱であって、上記各側壁部材１は、長尺なシート状素材の両側端部が長手方向に沿って互いに内側に折り曲げられ、該折り曲げられる両側端部が当接するよう長手方向に沿ってさらに内側に折り曲げられて形成される、内側壁部６と外側壁部７とで構成され、上記各側壁部１ａは、内側壁部６及び／又は外側壁部７に、その幅方向に沿って形成される複数の折曲用溝９によって構成され、底部材１５又は上板１９が取り付けられる反対側の開口部において、外側壁部７又は内側壁部６のいずれか一方が、他方よりも延出されて段部８が形成され、箱本体１７の段部８と嵌合用蓋部材１６ａの段部８とが嵌合されて構成されることを特徴とする。
【００２７】
この場合、収容物の高さが箱本体１７よりも大きい、例えば瓶などを収容するのに適している。
【００２８】
また、本発明の折箱は、折り曲げ可能に直列して連結される複数の側壁部１ａからなる側壁部材１、及び該各側壁部１ａを角環状に組み立てた際に形成される一方側の開口部に取り付けられる底部材１５で構成される箱本体１７と、折り曲げ可能に直列して連結される複数の側壁部１ａからなる側壁部材１を角環状に組み立て構成される積重用側壁体２０とを備えた折箱であって、上記各側壁部材１は、長尺なシート状素材の両側端部が長手方向に沿って互いに内側に折り曲げられ、該折り曲げられる両側端部が当接するよう長手方向に沿ってさらに内側に折り曲げられて形成される、内側壁部６と外側壁部７とで構成され、上記各側壁部１ａは、内側壁部６及び／又は外側壁部７に、その幅方向に沿って形成される複数の折曲用溝９によって構成され、上記箱本体１７に積重用側壁体２０が積み重ねられるよう、箱本体１７の開口部、及び積重用側壁体２０の両側の開口部は、外側壁部７又は内側壁部６のいずれか一方が、他方よりも延出されて段部８が形成されてなることを特徴とする。
【００２９】
例えば、底部材１５が取り付けられた積重用側壁体２０を箱本体１７に積重すれば、重箱を容易に組み立てることができる。また、収容物の高さが箱本体１７よりも大きい場合、収容物の高さに合わせて箱本体１７に積重用側壁体２０を積み重ねればよく、折箱の高さを容易に調整することもできる。
【発明の効果】
【００３０】
以上説明したように、本発明の折箱用資材は、側壁部材が帯板であるので嵩張らず、搬送しやすい効果がある。さらに、側壁部材の各側壁部が折り曲げ可能に直列して連結されるので、各側壁部を折り曲げるだけで角環状体を形成できる。このため、この角環状体のいずれか一方の開口部を底部材で閉塞すれば簡単に有底筒状の折箱を組立できる効果がある。
【発明を実施するための最良の形態】
【００３１】
（実施形態１）
以下、本発明の実施形態１に係る折箱用資材につき図１乃至図３を参照して説明する。
本実施形態１に係る折箱用資材は、図１及び図２（イ）に示すように、帯板状の側壁部材１、及び角環状に組み立てられた側壁部材１の一方（下側）の開口部を閉塞するための平面視四角形状の底部材１５で構成される箱本体と、角環状の側壁部材１の他方（上側）の開口部を閉塞するための、該底部材１５よりも少し大きい載置用蓋部材１６とから構成されている。なお、折箱用資材として使用される材料は、紙材、木材、合成樹脂材のいずれであってもよく、これらの材料を組み合わせて使用してもよい。
【００３２】
側壁部材１は、図２（ロ）に示すように、所定形状の大きさに切断加工された長尺なシート状素材の中央、即ち長手方向の中心線に沿って形成された一対の側壁部折溝２と、該各側壁部折溝２の間に形成された幅広の側壁部折代３と、該各側壁部折溝２の両側に形成された一対の端部折溝４と、該各端部折溝４の間に形成された、側壁部折代３よりもやや幅狭の端部折代５とが形成されている。そして、側壁部折代３の幅寸法は、折り曲げられた各側端部の二枚分の厚さ寸法に相当する。端部折代５の幅寸法は、折り曲げられた側端部の一枚分の厚さ寸法に相当する。
【００３３】
そして、側壁部材１は、まず、各端部折溝４に沿って両側端部が互いに内側に折り曲げられ、さらに、折り曲げられた両側端部が、中央の側壁部折溝２に沿って内側に折り曲げられて、折り曲げられた両側端部の外面（対向面）が貼り合わせられている（図３（イ）参照）。これによって、側壁部材２０の断面が四重構造になって充分な強度が確保される。
【００３４】
しかも、図３（イ）に示すように、上述した折り曲げによって、内側壁部６と外側壁部７が形成されることになる。また、外側壁部７は、内側壁部６よりも延出されており、外側壁部７と内側壁部６とで段部８が形成されている。
【００３５】
また、側壁部材１の内面（内側壁部２２）には、図２（イ）に示すように、Ｖ字形状の折曲用溝９が幅方向に沿って、且つ等間隔に形成され、これによって、内側壁部２２及び外側壁部２３で構成される側壁部１ａが複数形成されることになる。この場合、折曲用溝９を内側壁部２２に形成するようにしたが、外側壁部２３に形成するようにしてもよく、内側壁部２２及び外側壁部２３の両方に形成してもよい。要するに、折曲用溝９によって、側壁部材１を角環状に組み立てることができればよい。
【００３６】
さらに、側壁部材１の内面の下部には、図２（イ）に示すように、底部材１５の挿入用溝１０が形成されている。また、側壁部折溝２（端部折溝４及び折曲用溝９も同様）は、図３（ロ）に示すように、Ｖ字形状を呈しており、きれいに直角に折り曲げられるようになっている。また、折曲用溝９は、折り曲げた際に両側の壁面が当接することで、折箱の各角部の角度が容易に決まる。即ち、各側壁部１ａを折り曲げるだけで所望の多角形状の折箱を迅速に組み立てられる。しかも、各側壁部１ａのそれぞれの連結部の強度を確保できると共に、折箱全体の強度がより向上される。
【００３７】
加えて、両端の側壁部１ａの短辺端部に傾斜面１ｂが形成されている。この両端の側壁部１ａを角環状に組み立てる際、両端の側壁部１ａの傾斜面１ｂが互いに突き合わされることで、きれいな角環状体を形成できる。
【００３８】
つぎに折箱用資材の組立手順について説明する。まず、図２（イ）に示すように、側壁部材１を展開して、側壁部材１の挿入用溝１０に、平板状の底部材１５の周縁部（一辺端部）を挿入し、続いて、底部材１５の残りの各辺端部を挿入用溝１０に挿入しながら、各側壁部１ａによって四角形状の開口部が形成されるよう折り曲げて、両端の短辺端部の傾斜面１ｂを互いに当接させて貼り合わせて、箱本体１７を形成する。最後に、外側壁部７と内側壁部６との段部８に、平板状の載置用蓋部材１６を載置して上側の開口部を閉塞し、折箱１８を完成させる。
【００３９】
なお、前記実施形態１の場合、蓋部材１６を載置するために、内側壁部６と外側壁部７との間に段部８を形成したが、内側壁部６と外側壁部７とを同一高さにしてもよい。この場合、内側壁部６と外側壁部７とで形成される開口部を、冠状の蓋部材によって閉塞する必要がある（図示せず）。
【００４０】
（実施形態２）
つぎに実施形態２について図４を参照して説明する。図４において、図１と同一符号は同一もしくは相当するものを示し、異なる点は、複数の折曲用溝９を、側壁部材１の外面に幅方向に沿って等間隔に形成すると共に、挿入用溝１０を側壁部材１の外面の下部に長さ方向に沿って形成した点である。
【００４１】
即ち、折曲用溝９を側壁部材１の外面に形成することで、上記箱本体１７とは逆の段部８、つまり、内側壁部６が高く外側壁部７が低い段部８ａが形成されることになり、上記箱本体１７の段部８と凹凸嵌合ができるようになる。挿入用溝１０に、平面視四角形状の上板１９の周縁部を挿入し、各側壁部１ａを折り曲げて嵌合用蓋部材１６ａを形成した点である。そして、上記箱本体１７の段部８と嵌合用蓋部材１６ａの段部８ａとを嵌合させて折箱１８ａを組み立てる。この折箱１８ａは、箱本体１７の高さよりも背の高い収容物を収容するのに適している。
【００４２】
（実施形態３）
つぎに実施形態３について図５及び図６を参照して説明する。これらの図において、図１と同一符号は同一もしくは相当するものを示し、異なる点は、側壁部材１において、側壁部折溝２が３つと、該各側壁部折溝２の間に形成された側壁部折代３が２つ形成されている点である。そして、図６を正面から見て、右側の側壁部折溝２ａ、及び中央の側壁部折溝２ｂは幅狭に、左側の側壁部折溝２ｃは、幅広になるよう形成され、右側の側壁部折溝２ａと中央の側壁部折溝２ｂとの間に形成された側壁部折代３ａは幅狭に、中央の側壁部折溝２ｂと左側の側壁部折溝２ｃとの間に形成された側壁部折代３ｂは、幅広になるよう形成されている。
【００４３】
また、右側の側壁部折溝２ａと幅狭の側壁部折代３ａの幅寸法が、一方の折り曲げられた側端部の厚さ寸法に相当し、中央の側壁部折溝２ｂと幅広の側壁部折代３ｂの幅寸法が、内側壁部６及び外側壁部７の延出寸法に相当し、左側の折溝２ｃの幅寸法が、他方の折り曲げられた側端部の厚さ寸法に相当するよう構成されている。
【００４４】
また、各側壁部１ａを角環状に組み立てた状態においては、内側壁部６及び外側壁部７が、側壁部１ａの幅方向に沿って互いに反対側に延出されて、内側壁部６及び外側壁部７の各上端部と各下端部とにそれぞれ段部８ｂ、８ｃが形成され、この上下の段部８ｂ、８ｃを、上段の嵌合用蓋部材１６ａと下段の箱本体１７との間において凹凸嵌合させて、重箱としての折箱１８ｂが完成される。
【００４５】
なお、前記実施形態３の場合、上段の嵌合用蓋部材１６ａと下段の箱本体１７との間に、側壁部材１によって組み立てられた積重用側壁体２０を介装させるようにしたが、この積重用側壁体２０に底部材１５を取り付けて、複数段の有底筒体から構成される折箱（重箱）としてもよい。この場合、最上段の有底筒体の上面開口部に、平板状の載置用蓋部材１６を取り付けるのが好ましい。
【００４６】
また、前記各実施形態１〜３において、完成された折箱１８、１８ａ、１８ｂ（重箱も含む）の外面に図柄を印刷するようにしてもよく、化粧シートを貼り付けるようにしてもよい。
【図面の簡単な説明】
【００４７】
【図１】本発明の実施形態１に係る折箱の組付対応図。
【図２】（イ）は展開した状態の側壁部材を示す平面図、（ロ）は側壁部の展開図。
【図３】（イ）は側壁部の側断面図、（ロ）は側壁部材の折溝の断面図。
【図４】本発明の実施形態２に係る折箱の斜視図。
【図５】本発明の実施形態３に係る折箱の斜視図、
【図６】（イ）は展開した状態の側壁部材を示す平面図、（ロ）は側壁部の側断面図。
【符号の説明】
【００４８】
１…側壁部材、１ａ，…側壁部、１ｂ…傾斜面、２、２ａ〜２ｃ…側壁部折溝、３…側壁部折代、４…端部折溝、５…端部折代、６…内側壁部、７…外側壁部、８、８ａ〜８ｃ…段部、９…折曲用溝、１０…挿入用溝、１５…底部材、１６…載置用蓋部材、１６ａ…嵌合用蓋部材、１７…箱本体、１８、１８ａ、１８ｂ…折箱、１９…上板、２０…積重用側壁体
【図１】
2007284135.tif 000003
【図２】
2007284135.tif 000004
【図３】
2007284135.tif 000005
【図４】
2007284135.tif 000006
【図５】
2007284135.tif 000007
【図６】
2007284135.tif 000008